(57)【要約】【課題】ケース本体に設けるマイクに音を導く小孔を複数設けて、意匠効果の向上を図れる携帯電話機において、ケース本体に化粧用小孔を通しての塵埃、水等の侵入を防止する。【解決手段】第１の小孔１４Ａ、１４Ｂが形成されたケース本体２と、該ケース本体２の内側に、前記第１の小孔１４Ａ、１４Ｂ部分に位置させて固定された通話音捕捉用のマイクと、該ケース本体２の外面側に、前記第１の小孔１４Ａ、１４Ｂが形成された部分を含むように固定され、前記第１の小孔１４Ａ、１４Ｂと連通する第２の小孔１７ａ、１７ｂが形成されるとともに、該第２の小孔１７ａ、１７ｂの近傍に化粧用小孔１７ｃ〜１７ｆが形成された化粧板１５と、前記ケース本体２外面に、前記化粧用小孔１７ｃ〜１７ｆが形成された部分に対向するように設けられた暗色部２１とを備えてなる。【選択図】    図２
2005020181.tif 000002
【特許請求の範囲】
【請求項１】
第１の小孔が形成されたケース本体と、
該ケース本体の内側に、前記第１の小孔部分に位置させて固定された通話音捕捉用のマイクと、
該ケース本体の外面側に、前記第１の小孔が形成された部分を含むように固定され、前記第１の小孔と連通する第２の小孔が形成されるとともに、該第２の小孔の近傍に化粧用小孔が形成された化粧板と、
前記ケース外面に、前記化粧用小孔が形成された部分に対向するように設けられた暗色部とを備えてなる携帯電話機。
【請求項２】
前記暗色部が、暗色の印刷により形成されている請求項１記載の携帯電話機。
【請求項３】
前記暗色部が、前記ケース外面に貼着されたシートからなる請求項１記載の携帯電話機。
【発明の詳細な説明】
【０００１】
【発明の属する技術分野】
本発明は、化粧用小孔が形成された携帯電話機に関する。
【０００２】
【従来の技術】
従来、意匠効果を高めるマルチファンクションキーとしては、表面に４個の指標部を有する飾りパネルと、この飾りパネルの背面側に配置された照明用ＬＥＤとを備えたものが提供されている（例えば、特許文献１参照。）。このマルチファンクションキーには、飾りパネルの指標部に光拡散印刷が施されており、照明用ＬＥＤを点灯させることにより、光拡散印刷を施した指標部を照明させるものである。しかし、この構成においては、照明用ＬＥＤの照明により指標部を強調してしまうため、十分な意匠効果が得られないという問題がある。
【０００３】
周知のように、携帯電話機には、図３に示すように、機器のケース本体１０１の前面側に、各種の操作キー１０２と、各種の情報を表示させる液晶表示部１０３とが設けられ、ケース本体１０１の上下に、受信内容を聞き取るスピーカ部１０４と、通話者が発する音声を捕捉するマイク部１０５とが設けられている。この種の携帯電話機において、マイク部１０５は、ケース本体１０１の下端に小孔１０６を形成し、ケース本体１０１の内面側に小孔１０６に対面する位置に図示しないマイクを設けた構成とされている。しかし、この構成においては、マイクに音を伝える小孔１０６が１個であるため、十分な意匠効果が得られず、商品価値を高めることができないという問題がある。
【０００４】
この問題を解決するためには、例えば図４、図５および図６、図７に示す携帯電話機が考えられる。図４、図５に示す携帯電話機には、図３に示す構成と同様に機器のケース本体１１１の前面側に各種の操作キー１１２と、各種の情報を表示させる液晶表示部１１３とが設けられ、ケース本体１１１の上下に受信内容を聞き取るスピーカ部１１４と、通話者が発する音声を捕捉するマイク部１１５とが設けられている。この場合、ケース本体１１１は、フロントケース１１６とリアケース１１７とからなっており、フロントケース１１６には、凹部１１８が形成されている。凹部１１８内に位置する壁部１１９には、開口部１２０が形成されており、開口部１２０内には、液晶表示部１１３が設けられている。さらに、壁部１１９には、複数の小孔１２２Ａ、１２２Ｂが形成されており、小孔１２２Ａ、１２２Ｂの背面側には、図示しないマイクが設けられている。
【０００５】
凹部１１８には、化粧板１２３が装着されており、この化粧板１２３には、開口部１２４Ａ、１２４Ｂが形成されている。液晶表示部１１３と各種操作キー１１２は、この開口部１２４Ａ、１２４Ｂを通して外面側に露出するようになっている。化粧板１２３の下端部には、ケース本体の小孔１２２Ａ、１２２Ｂに対応する位置にマイク用小孔１２５ａ、１２５ｂが形成されている。ここで、マイク用小孔１２５ａ、１２５ｂは、小孔１２２Ａ、１２２Ｂと連通しており、通話者の発する音声をこの小孔１２５ａ、１２５ｂを通して、マイクに伝えるようになっている。
さらに、化粧板１２３の下端部には化粧用小孔１２５ｃ〜１２５ｆが形成されており、この化粧用小孔１２５ｃ〜１２５ｆは、意匠効果を高めるために設けたものである。
【０００６】
また、図６、図７に示す携帯電話機には、上記構成に加えて、ケース本体１１３には、小孔１３１Ａ〜１３１Ｆが設けられており、化粧板１２３には、小孔１３２ａ〜１３２ｆが設けられている。ここで、化粧板１２３がケース本体１１１に装着された場合に、ケース本体１１１の小孔１３１Ａ〜１３１Ｆと化粧板１２３の小孔１３２ａ〜１３２ｆとが連通するように構成されている。なお、この構成においても、小孔１３１Ａ、１３１Ｂの対応する位置にマイクが設けられている。
【０００７】
【特許文献１】
特開２００１−１８４９７１号公報（段落番号００１２、第１図）
【０００８】
【発明が解決しようとする課題】
しかし、上記の図４、図５に示す携帯電話機は、ケース本体１１１の外面に化粧板１２３の化粧用小孔１２５ｃ〜１２５ｆが接しているため、目視した際に、ケース本体１１１の外面の色が化粧用小孔１２５ｃ〜１２５ｆを通して見えてしまい、意匠的に外観が劣るという問題があった。
また、上記の図６、図７に示す携帯電話機は、化粧用小孔１３２ｃ〜１３２ｆがケース本体１１１の小孔１３１Ａ〜１３１Ｆを通してケース本体１１１の内部にまで連通しているため、塵埃、水等が化粧用小孔１３２ｃ〜１３２ｆからケース本体１１１内部に侵入するという問題があった。
【０００９】
この発明は、このような事情を考慮してなされたもので、その目的は、ケース本体に設けるマイクに音を導く小孔を複数設けて、意匠効果の向上を図れる携帯電話機において、化粧用小孔から塵埃、水等が侵入するのを防止することのできる携帯電話機を提供することにある。
【００１０】
【課題を解決するための手段】
上記目的を達成するために、この発明は以下の手段を提供している。
この発明に係わる携帯電話機は、第１の小孔が形成されたケース本体と、該ケース本体の内側に、前記第１の小孔部分に位置させて固定された通話音捕捉用のマイクと、該ケース本体の外面側に、前記第１の小孔が形成された部分を含むように固定され、前記第１の小孔と連通する第２の小孔が形成されるとともに、該第２の小孔の近傍に化粧用小孔が形成された化粧板と、前記ケース外面に、前記化粧用小孔が形成された部分に対向するように設けられた暗色部とを備えてなることを特徴とする。
【００１１】
この発明によれば、通話時において、使用者から発した音声が、化粧板の小孔と、ケース本体の小孔を通してマイクへ到達することになる。この際、化粧用小孔が形成されている部分に対向するようにケース側の外面側に暗色部が設けられており、化粧用小孔は塞がれているため、化粧用小孔から塵埃、水等が侵入するのを防止する。また、化粧用小孔は、底面が暗色であるので、外面から見た場合に化粧用小孔であるということが視認しにくく、したがって、意匠的に外観を向上できるものである。
【００１２】
この発明に係わる携帯電話機は、前記暗色部が、暗色の印刷により形成されていることを特徴とする。
【００１３】
この発明によれば、化粧用小孔が形成されている部分に対向するようにケース外面に設けられた暗色部が、黒色の印刷により形成されているため、容易に製作できるものである。さらに、化粧用小孔は、底面が暗色であるので、外面から見た場合に化粧用小孔であるということが視認しにくく、したがって、意匠的に外観を向上できるものである。
【００１４】
この発明に係わる携帯電話機は、前記暗色部が、前記ケース外面に貼着されたシートからなることを特徴とする。
【００１５】
この発明によれば、化粧用小孔が形成されている部分に対向するようにケース外面に設けられた暗色部が、黒色のシートにより貼着されているため、容易に製作できるものである。さらに、化粧用小孔は、底面が暗色であるので、外面から見た場合に化粧用小孔であるということが視認しにくく、したがって、意匠的に外観を向上できるものである。
【００１６】
【発明の実施の形態】
以下、この発明の実施の形態について、図面を参照して説明する
図１は、本発明を適用した、いわゆるストレート型の携帯電話機１を示す図であり、この携帯電話機１のケース本体２は、図４から図７に示す携帯電話機と同様に、フロントケース３と、リアケース４とから構成されている。ケース本体２には、従来のものと同様に各種の操作キー５と、各種の情報を表示させる液晶表示部６とが設けられ、ケース本体２の上下には、受信内容を聞き取るスピーカ部７と、通話者が発する音声を捕捉するマイク部８とが設けられている。また、ケース本体２上部には、電波の送受信を行うアンテナ部９と、点灯することにより着信等の様々な情報を使用者に報知するランプ１０とが設けられている。
【００１７】
図２に示すようにフロントケース３には、凹部１１が形成されている。凹部１１内に位置する壁部１２には、開口部１３が形成されており、開口部１３内には、液晶表示部６が設けられている。さらに、壁部１２には、小孔（第１の小孔）１４Ａ、１４Ｂが形成されており、この小孔１４Ａ、１４Ｂの背面側には、図示しないマイクが設けられている。凹部１１には、化粧板１５が装着されており、この化粧板１５には、開口部１６Ａ、１６Ｂが形成されている。これにより、液晶表示部６と各種操作キー５は、この開口部１６Ａ、１６Ｂを通して外面側に露出するようになっている。
【００１８】
化粧板１５の下端部には、ケース本体２の小孔１４Ａ、１４Ｂに対応する位置にマイク用小孔（第２の小孔）１７ａ、１７ｂが形成されている。ここで、マイク用小孔１７ａ、１７ｂは、小孔１４Ａ、１４Ｂと連通しており、通話者の発する音声をマイク用小孔１７ａ、１７ｂを通して、マイクに伝えるようになっている。
さらに、化粧板１５の下端部には、化粧用小孔１７ｃ〜１７ｆが形成されており、この化粧用小孔１７ｃ〜１７ｆは、意匠効果を高めるために設けたものである。
【００１９】
壁部１２の下端部には、化粧板１５の小孔１７ｃ〜１７ｆと対応する位置に黒色に印刷された暗色部２１が形成されている。
この暗色部２１は、フロントケース３の凹部１１に化粧板１５が固定された場合に、化粧板１５の小孔１７ｃ〜１７ｆと面する位置となるように配置されている。このため、化粧板小孔１７ｃ〜１７ｆの底面は、暗色部２１に塞がれる構成となるため、目視した際に、黒色となっているように見える。
【００２０】
次に、上記の構成からなる携帯電話機１の使用方法について説明する。
使用者は、通話をする際に、携帯電話機１の操作キー５を操作して、任意の電話番号をキー入力する。その後、操作キー５で電話番号を入力した後に、発信ボタンを押すと、通話が可能となり、使用者が発した音声は、本体ケース２の下端部に配置されたマイク用孔１７ａ、１７ｂを通してマイクへ到達する。
【００２１】
ケース本体２側の外面側には、暗色部２１が設けられているので、使用者が携帯電話機１を外面から見た場合に、化粧用小孔１７ｃ〜１７ｆの底面が黒色となって見える。このため、化粧用小孔１７ｃ〜１７ｆはマイク用孔１７ａ、１７ｂを通して見える色と略同じように見えるので、化粧用小孔１７ｃ〜１７ｆであるということが視認しにくくなる。
また、化粧用小孔１７ｃ〜１７ｆの底面は、ケース本体２の暗色部２１に塞がれているため、ケース本体２内への塵埃、水等の侵入を防ぐことができる。
【００２２】
上記のように、この携帯電話機１によれば、化粧板１５に形成された化粧用小孔１７ｃ〜１７ｆと対面するフロントケース３外面の位置に黒色の暗色部２１が形成されているため、フロントケース３の凹部１１に化粧板１５を装着した場合、化粧用小孔１７ｃ〜１７ｆの底面が黒色となる。これにより、化粧用小孔１７ｃ〜１７ｆを外面から見た場合、使用者には、マイク用孔１７ａ、１７ｂを通して見える色と略同じように見えるので、化粧用小孔１７ｃ〜１７ｆであるということが視認しにくくなり、意匠的に外観を向上させることができる。
また、化粧用小孔１７ｃ〜１７ｆは、底面が暗色部２１で塞がれており、ケース本体２内まで貫通していないので、化粧用小孔１７ｃ〜１７ｆからケース本体２内へ塵埃、水等が侵入することを防止できる。
なお、上記実施の形態においては、暗色部２１を形成するのに黒色の印刷を用いたが、これに限るものではなく、黒色のシートを暗色部２１に貼着させてもよい。これにより、暗色部２１の製作が容易にでき、意匠的に外観を向上させることができる。
【００２３】
また、上記実施の形態において暗色部２１は、化粧板１５の化粧用小孔１７ｃ〜１７ｆの２孔に対して１つづつであったがこれに限るものではない。例えば、暗色部２１は化粧用小孔１７ｃ〜１７ｆの１孔に対して１つづつ設けてもよい。
また、上記実施の形態においては、本発明をマイク部８にのみ適用したものであったが、これに限るものでなく、スピーカ部７にも適用してもよい。これにより、意匠的に外観をさらに向上させることができる。
また、上記実施の形態においては、マイク用小孔が２つ、化粧用小孔が４つとされていたが、これに限るものではない。
また、上記実施の形態においては、ストレート型の携帯電話機を用いたが、これに限るものでなく、折り畳み型等の様々な形状の携帯電話機に適用できる。
【００２４】
【発明の効果】
この発明によれば、化粧用小孔の底面に位置するケース本体側の外面側に暗色部が設けられているので、化粧用小孔から塵埃、水等が侵入することを防止できる。また、化粧用小孔は、底面が暗色であるので、外面から見た場合に化粧用小孔であるということが視認しにくく、したがって、意匠的に外観を向上させることができる。
【００２５】
この発明によれば、化粧用小孔が形成されている部分に対向するようにケース外面に設けられた暗色部が、黒色の印刷により形成されているため、容易に製作できるものである。さらに、化粧用小孔は、底面を暗色としているので、外面から見た場合に、化粧用小孔であるということが視認しにくく、したがって、意匠的に外観を向上させることができる。
【００２６】
この発明によれば、化粧用小孔が形成されている部分に対向するようにケース外面に設けられた暗色部が、黒色のシートにより貼着されているため、容易に製作できる。さらに、化粧用小孔は、底面を暗色としているので、外面から見た場合に、化粧用小孔であるということが視認しにくく、したがって、意匠的に外観を向上させることができる。
【図面の簡単な説明】
【図１】本発明における実施の形態に係る携帯電話機の斜視図である。
【図２】本発明における実施の形態に係る携帯電話機の一部を分解した斜視図である。
【図３】従来の携帯電話機の斜視図である。
【図４】ケース本体に化粧用小孔を設けた携帯電話機の斜視図である。
【図５】ケース本体に化粧用小孔を設けた携帯電話機の一部を分解した分解した斜視図である。
【図６】ケース本体に化粧用小孔を設けた携帯電話機の斜視図である。
【図７】ケース本体に化粧用小孔を設けた携帯電話機の一部を分解した分解した斜視図である。
【符号の説明】
２  ケース本体
１４Ａ、１４Ｂ  小孔（第１の小孔）
１５  化粧板
１７ａ、１７ｂ  マイク用小孔（第２の小孔）
１７ｃ〜１７ｆ  化粧用小孔
２１  暗色部
【図１】
2005020181.tif 000003
【図２】
2005020181.tif 000004
【図３】
2005020181.tif 000005
【図４】
2005020181.tif 000006
【図５】
2005020181.tif 000007
【図６】
2005020181.tif 000008
【図７】
2005020181.tif 000009